(57)【要約】【課題】  低リスクで流動性の高い新たな現物取引システムを提供する。【解決手段】  銘柄別物品の現金即払いと一定期間内の後払いの第１、第２の現物取引を運営するホスト装置４及び該ホスト装置４とネットワーク１０を介して接続された複数の取引端末１１、１２、・・を含み、会員から受託した取引仲介者ａが端末１１で第１または第２の売買注文を入力すると、ホスト装置４に転送され、ホスト装置４は記憶手段４Ａに記憶するとともに売注文と買注文の条件が一致する組を検索して注文を執行し、執行した銘柄と即金価格を組にした第１または第２の執行情報を記憶手段４Ａに記憶する。ホスト装置４は各取引端末に第１、第２の現物取引執行情報及び第１、第２の現物取引売買注文情報を転送し、端末に表示せしめ、また、執行した元の注文を出した端末に執行通知情報を転送する。【選択図】        図１
2006285442.tif 000002
【特許請求の範囲】
【請求項１】
所定の種類の銘柄別物品について第１、第２の２種類の現物取引を行う取引所を開設し、
第１の現物取引は、銘柄別物品の現金即払いでの取引とし、売り手・買い手から売買を受託した取引仲介者が取引所に希望銘柄別物品と当日の希望即金価格を組にした売買注文を出し、取引所は条件の一致した売買注文を執行し、取引所を通じて売り手と買い手が相対で銘柄別物品の受け渡しと代金の授受を行い、
第２の現物取引は、銘柄別物品の一定期間内の現金後払いでの取引とし、売り手・買い手から売買を受託した取引仲介者が取引所に希望銘柄別物品と当日の希望後払い価格を組にした売買注文を出し、取引所は条件の一致した売買注文を執行し、取引所を通じて売り手と買い手が相対で銘柄別物品の受け渡しをし、買い手は後払い代金の一部を保証金として取引仲介者または取引所に預託するとともに取引所を通じて一定期間内に売り手に残金を支払い、
売り手は取引仲介者または取引所に保証金を預託して他人の所有する銘柄別物品を一定期間内に返却する条件で借り、第１または第２の現物取引で売りができるようにしたこと、
を特徴とする現物取引方法。
【請求項２】
銘柄別物品は、金、銀等の貴金属の板に種々の歴史的人物の花押を印刷したものとしたこと、
特徴とする請求項１記載の現物取引方法。
【請求項３】
銘柄別物品の第１、第２の２種類の現物取引を行う取引所を運営するホスト装置及び該ホスト装置とネットワークを介して接続されて売り手・買い手から売買の受託をした複数の取引仲介者が注文操作を行う複数の取引端末とを含み、
第１の現物取引は、銘柄別物品の現金即払いでの取引とし、第２の現物取引は、銘柄別物品の一定期間内の現金後払いでの取引とし、
ホスト装置は、第１の現物取引を行う売り手・買い手の希望銘柄別物品と当日の希望即金価格と売り手・買い手の識別情報を組にした第１の現物取引売買注文情報、第１の現物取引売買注文情報の中でその後注文を執行した銘柄別物品と即金価格と売り手・買い手の識別情報を組にした第１の現物取引執行情報、売り手・買い手の希望銘柄別物品と当日の希望後払価格と売り手・買い手の識別情報を組にした第２の現物取引売買注文情報、第２の現物取引売買注文情報の中でその後注文を執行した銘柄別物品と後払い価格と売り手・買い手の識別情報を組にした第２の現物取引執行情報を記憶する記憶手段を有し、
取引仲介者が取引端末で第１の売買注文を入力すると、ホスト装置に転送され、ホスト装置は記憶手段に記憶するとともに売注文と買注文の条件が一致する組を検索して注文を執行し、執行した銘柄と即金価格を組にした第１の執行情報を記憶手段に記憶し、取引仲介者が取引端末で第２の売買注文を入力すると、ホスト装置に転送され、ホスト装置は記憶手段に記憶するとともに売注文と買注文の条件が一致する組を検索して注文を執行し、執行した銘柄と後払い価格を組にした第２の執行情報を記憶手段に記憶し、
ホスト装置は各取引端末に第１、第２の現物取引執行情報及び第１、第２の現物取引売買注文情報を転送し、取引端末に表示せしめ、また、執行した元の注文を出した取引端末に執行通知情報を転送して端末側で出力可能としたこと、
を特徴とする現物取引システム。
【請求項４】
銘柄別物品は、金、銀等の貴金属の板に種々の歴史的人物の花押を印刷したものとしたこと、
特徴とする請求項３記載の現物取引システム。
【発明の詳細な説明】
【技術分野】
【０００１】
本発明は現物取引方法、現物取引システムに係り、とくに銘柄別物品を即払いと後払いの２種類の相対取引で売買できるようにした現物取引方法、現物取引システムに関する。
【背景技術】
【０００２】
商品先物取引は、売り手と買い手が、将来の一定の時期において貴金属、穀物、ゴム等の物品を現在の時点で約定した価格で受け渡すことを約束する取引であり、当該売買の目的商品を当該一定時期までに買い手が転売したり、売り手が買い戻した場合は、当初の価格と転売または買い戻しした時点での価格の差額に基づく差金の授受により決済できる。この商品先物取引により、現物市場で現物を売買する業者が先物市場で反対売買することで価格変動リスクを回避したり、投機家が差金利益を獲得したりできる。
けれども、商品先物取引は取引成立時点で現物の授受がされず、手元に無い商品を売買できるため、手元資金を超えて取引量を増大してしまい、多大な損失を招くことがある。また、買い手が転売したり、売り手が買い戻しできるのは、当初相手方と約した受け渡し時期に限定された物なので、取引の流動性が少なく利益獲得の機会を見逃す恐れがある。
【０００３】
【特許文献１】特開２００１−３０６８１３号公報
【発明の開示】
【発明が解決しようとする課題】
【０００４】
本発明は上記した従来の問題に鑑み、リスクが少なく、取引の流動性も高い現物取引方法、現物取引システムを提供することを、その目的とする。
【課題を解決するための手段】
【０００５】
請求項１の発明は、所定の種類の銘柄別物品について第１、第２の２種類の現物取引を行う取引所を開設し、第１の現物取引は、銘柄別物品の現金即払いでの取引とし、売り手・買い手から売買を受託した取引仲介者が取引所に希望銘柄別物品と当日の希望即金価格を組にした売買注文を出し、取引所は条件の一致した売買注文を執行し、取引所を通じて売り手と買い手が相対で銘柄別物品の受け渡しと代金の授受を行い、第２の現物取引は、銘柄別物品の一定期間内の現金後払いでの取引とし、売り手・買い手から売買を受託した取引仲介者が取引所に希望銘柄別物品と当日の希望後払い価格を組にした売買注文を出し、取引所は条件の一致した売買注文を執行し、取引所を通じて売り手と買い手が相対で銘柄別物品の受け渡しをし、買い手は後払い代金の一部を保証金として取引仲介者または取引所に預託するとともに取引所を通じて一定期間内に売り手に残金を支払い、売り手は取引仲介者または取引所に保証金を預託して他人の所有する銘柄別物品を一定期間内に返却する条件で借り、第１または第２の現物取引で売りができるようにしたこと、を特徴としている。
請求項３の発明は、銘柄別物品の第１、第２の２種類の現物取引を行う取引所を運営するホスト装置及び該ホスト装置とネットワークを介して接続されて売り手・買い手から売買の受託をした複数の取引仲介者が注文操作を行う複数の取引端末とを含み、第１の現物取引は、銘柄別物品の現金即払いでの取引とし、第２の現物取引は、銘柄別物品の一定期間内の現金後払いでの取引とし、ホスト装置は、第１の現物取引を行う売り手・買い手の希望銘柄別物品と当日の希望即金価格と売り手・買い手の識別情報を組にした第１の現物取引売買注文情報、第１の現物取引売買注文情報の中でその後注文を執行した銘柄別物品と即金価格と売り手・買い手の識別情報を組にした第１の現物取引執行情報、売り手・買い手の希望銘柄別物品と当日の希望後払価格と売り手・買い手の識別情報を組にした第２の現物取引売買注文情報、第２の現物取引売買注文情報の中でその後注文を執行した銘柄別物品と後払い価格と売り手・買い手の識別情報を組にした第２の現物取引執行情報を記憶する記憶手段を有し、取引仲介者が取引端末で第１の売買注文を入力すると、ホスト装置に転送され、ホスト装置は記憶手段に記憶するとともに売注文と買注文の条件が一致する組を検索して注文を執行し、執行した銘柄と即金価格を組にした第１の執行情報を記憶手段に記憶し、取引仲介者が取引端末で第２の売買注文を入力すると、ホスト装置に転送され、ホスト装置は記憶手段に記憶するとともに売注文と買注文の条件が一致する組を検索して注文を執行し、執行した銘柄と後払い価格を組にした第２の執行情報を記憶手段に記憶し、ホスト装置は各取引端末に第１、第２の現物取引執行情報及び第１、第２の現物取引売買注文情報を転送し、取引端末に表示せしめ、また、執行した元の注文を出した取引端末に執行通知情報を転送して端末側で出力可能としたこと、を特徴としている。
銘柄別物品は、金、銀等の貴金属の板に種々の歴史的人物の花押を印刷したものとしても良い。
【発明の効果】
【０００６】
本発明によれば、第１の現物取引で即金価格により銘柄物品を売買できるほか、第２の現物取引で一定期間内の後払い価格により銘柄物品を売買できるので、売り手と買い手の様々な思惑により当日の即金価格に幅が生じるとともに当日の後払い価格に幅が生じ、更に当日の即金価格と後払い価格にも差が生じ、現物取引が活発化する。
第１の現物取引、第２の現物取引ともに、取引成立時点で現物を受け渡す売買なので、同一物品について受け渡し時期が異なる様々な商品が存在する訳でなく、取引の流動性が高くなって利益獲得の機会を逃す恐れが少なくなる。また、取引量は実際にある物品量の制約を受けるので、売り手、買い手の取引量が異常に多くなって多大な損失を被る恐れも少ない。
取引は即金または後払いの現金払いであり、信用株取引の如く利息を払って資金を借り入れないので、負担が少ない。株券は会社倒産等で無価値になることがあるが、現物取引では現物が手元に残るので無価値となることはない。
第２の現物取引は、保証金を払って少ない資金で始めることができる。
また、借り売りにより銘柄別物品を所有していなくても、現物取引ができる。
銘柄別物品は、金、銀等の貴金属に歴史的著名人の花押を印刷したものとすれば、各銘柄に特別な蒐集価値が生まれ、テレビドラマ等の影響で価格上昇が起き易くなる。
【発明を実施するための最良の形態】
【０００７】
銘柄物品は、名刺大の銀板の表面に様々な歴史的人物の花押を印刷し、限定数量だけ生産されたものであり、蒐集価値が高く、また価格上昇も生じやすい。銘柄物品の生産・販売会社または他の者が第１、第２の２種類の現物取引を行う取引所を開設する。第１の現物取引は、銘柄別物品の現金即払いでの取引とし、売り手・買い手から売買を受託した取引仲介者が取引所に希望銘柄別物品と当日の希望即金価格を組にした売買注文を出し、取引所は条件の一致した売買注文を執行し、取引所を通じて売り手と買い手が相対で銘柄別物品の受け渡しと代金の授受を行う。一方、第２の現物取引は、銘柄別物品の一定期間内の現金後払いでの取引とし、売り手・買い手から売買を受託した取引仲介者が取引所に希望銘柄別物品と当日の希望後払い価格を組にした売買注文を出し、取引所は条件の一致した売買注文を執行し、取引所を通じて売り手と買い手が相対で銘柄別物品の受け渡しをし、買い手は後払い代金の一部を保証金として取引仲介者または取引所に預託するとともに取引所を通じて一定期間内に売り手に残金を支払う。売り手は取引仲介者または取引所に保証金を預託して他人の所有する銘柄別物品を一定期間内に返却する条件で借り、第１または第２の現物取引で売りができる。
取引所には、第１、第２の現物取引の売買注文の集約、条件の一致する売り注文と買い注文の検索、注文の執行、各種情報提供等を行うホスト装置を設置する。銘柄物品の売り手、買い手は取引仲介者に第１、第２の現物取引の売買を委託し、取引仲介者は公衆ネットワークを介してホスト装置と接続された取引端末を用いて、第１、第２の現物取引の売買注文をしたり、ホスト装置から転送された未執行の第１、第２の現物取引売買注文情報を閲覧したり、執行済の第１、第２の現物取引の銘柄と取引価格情報を閲覧したり、自身が注文し、執行された取引についての執行通知書（執行日時、銘柄、取引価格等を含む）を表示・印刷したりする。
【実施例１】
【０００８】
図１は本発明に係る現物取引システムを示す説明図である。図１において１は所定の種類の銘柄別物品の生産・販売会社であり、図２に示す如く、名刺大の銀板２０に百乃至数百人程度の歴史的著名人の花押ＫＰ１、ＫＰ２、ＫＰ３、ＫＰ４、・・を印刷した銘柄別物品（「銀刺」と称されている）２−１、２−２、・・、２−ｉ、・・を各々限定数量だけ生産・販売している（ｉ＝１、２、３・・は銘柄の違いを示す）。銘柄別とは歴史的著名人別を意味し、銀の価値とは別に、歴史的人物の運勢にあやかるための蒐集価値を有し、テレビドラマ等の影響で価格上昇が起き易い性質を有する。図１に戻って、３は銘柄別物品の生産・販売会社１が開設した取引所であり、取引所を運営するためのホスト装置４が設置されている。１１、１２、１３、１４、・・は取引端末であり、インターネット等の公衆ネットワーク１０を介してホスト装置４と接続されている。Ａ、Ｂ、Ｃ、Ｄ、Ｅ、Ｆ、・・は銘柄別物品の売り手または買い手となる会員であり、会員コードで区別される。ａ、ｂ、ｃ、ｄ、・・は会員から受託を受けて取引所３に対し取引仲介を行う取引仲介者であり、取引仲介者コードで区別される。各取引仲介者は一人一台の取引端末を有する。ここでは、ａ、ｂ、ｃ、ｄ、・・は各々取引端末１１、１２、１３、１４、・・を有しているものとする。
【０００９】
取引所３では、第１、第２の２種類の現物取引を行い、この内、第１の現物取引は、銘柄別物品の現金即払いでの取引とし、売り手・買い手Ａ、Ｂ、Ｃ、Ｄ、・・から売買を受託した取引仲介者ａ、ｂ、ｃ、ｄ、・・が各々取引端末１１、１２、１３、１４、・・を用いて取引所３のホスト装置４に注文番号、取引仲介者コード、会員コード、取引種別（第１、第２の別と売り、買いの別）、希望銘柄別物品と当日の希望即金価格を組にした第１の現物取引売買注文情報を入力すると、公衆ネットワーク１０を介して取引所３のホスト装置４に転送され、ホスト装置４は付属の記憶装置（図３の符号４Ａ参照）に第１の現物取引売買注文情報を記憶するとともに条件の一致する売注文と買注文の組み合わせを検索する。条件の一致する売買注文があれば執行し、執行した第１の現物取引売買注文の銘柄別物品、即金価格、執行日時、売り手と買い手の注文番号及び会員コードを組にした第１の現物取引執行情報を記憶装置４Ａに記憶し、執行通知書（執行日時、売り手または買い手の注文番号と取引仲介者コードと会員コード、取引種別、銘柄別物品、即金価格）を発注元の取引端末に転送し、取引端末で記憶させるとともに表示／印刷出力とメール添付転送を可能とする。
【００１０】
また、第２の現物取引は、銘柄別物品の一定期間内（ここでは、３０日とする）現金後払いでの取引とし、会員Ａ、Ｂ、Ｃ、Ｄ、Ｅ、Ｆ、・・から売買を受託した取引仲介者ａ、ｂ、ｃ、ｄ、・・が取引端末１１、１２、１３、１４、・・を用いて取引所３のホスト装置４に注文番号、取引仲介者コード、会員コード、取引種別、希望銘柄別物品と当日の希望後払い価格を組にした第２の現物取引売買注文を入力すると、公衆ネットワーク１０を介してホスト装置４に転送され、ホスト装置４は付属の記憶装置４Ａに第２の現物取引売買注文情報を記憶するとともに条件の一致する売注文と買注文の組み合わせを検索する。条件の一致する売買注文があれば執行し、執行した第２の現物取引売買注文の銘柄別物品、後払い価格、執行日時、売り手と買い手の注文番号、取引仲介者コード、会員コードを組にした第２の現物取引執行情報を記憶装置４Ａに記憶し、執行通知書（執行日時、売り手または買い手の注文番号と取引仲介者コードと会員コード、取引種別、銘柄別物品、後払い価格）を発注元の取引端末に転送し、取引端末で記憶させるとともに表示／印刷出力とメール添付転送を可能とする。
ホスト装置４は取引端末からのアクセス開始時と、注文受け付け時及び執行時に、記憶装置４Ａに記憶された当日の未執行の第１、第２の現物取引売買注文情報の内、銘柄別物品と希望即金価格または銘柄別物品と希望後払い価格、当日の第１、第２の現物取引執行情報の内、執行日時と銘柄別物品と即金価格または執行日時と銘柄別物品と後払い価格からなる取引概況情報を公衆ネットワーク１０を介して各取引端末１１、１２、１３、１４、・・に転送し、各取引端末１１、１２、１３、１４、・・に画面表示させる。またホスト装置４は、公衆ネットワーク１０を介して会員が持つ一般のパソコン３１、３２、・・からアクセスがあったときも取引概況情報を転送し、画面表示させる（なお、一般のパソコン３１、３２、・・からは売買注文は出来ない）。
【００１１】
なお、第２の現物取引の買い注文をする場合、買い手は後払い価格の１部（ここでは一例として７万円とする。）を保証金として取引所３に預託する。買い注文が執行されて、買い手が一定期間内に残金を取引所３に入金すると、取引所３は保証金と合わせて売り手に支払う。
また、第２の現物取引の売り注文をする場合、取引所３を通じて他者から所望の銘柄別物品を一定期間内に返却することを条件に有償または無償で借りて、売りを行うことができ、この借り売りをする場合も、借り手は、保証金を取引所３に預託する。保証金は、借り銘柄別物品を取引所３を通じて元の貸し主に返却したとき元の借り主に返金される。
【００１２】
図３はホスト装置４に付属した記憶装置４Ａに割り当てられた各種情報の記憶エリアの説明図である。記憶装置４Ａは、第１、第２の現物取引売買注文情報を時間順に記憶する第１、第２の現物取引売買注文情報記憶エリア４０、４１、第１、第２の現物取引執行情報を時間順に記憶する第１、第２の現物取引執行情報記憶エリア４２、４３、会員別の会員コード、住所、氏名等を記憶した会員情報記憶エリア４４、取引仲介者別の取引仲介者コード、住所、氏名、端末アドレス等を記憶した取引仲介者情報記憶エリア４５を有している。
【００１３】
図４は第１、第２の現物取引方法の説明図、図５は銘柄別物品と代金の流れを示す説明図、図６乃至図１０は記憶装置４Ａの記憶内容の説明図、図１１乃至図１５は取引端末の画面表示例を示す説明図、図１６は借り売りでの銘柄別物品と代金の流れを示す説明図であり、以下これらの図を参照して図１に示す現物取引システムの動作を説明する。なお、取引は祭日を除く月曜から金曜までの午前９：００乃至午後３：００の間とし、現在は３月１２日午前９時直前であり、第１、第２の現物取引売買注文情報記憶エリア４０、４１には前日の未執行の第１、第２の現物取引売買注文情報が記憶されているものとし（図６（１）、図８（１）参照）、第１、第２の現物取引執行情報記憶エリア４２、４３には何も記憶されていないものとする。銘柄別物品２−１、２−２、２−３、・・の銘柄は３桁の銘柄コードで区別されるものとする。たとえば、銘柄別物品２−２の銘柄コードは「００２」である。会員Ａ、Ｂ、Ｃ、Ｄ、Ｅ、Ｆ・・の会員コードは「１−１」、「１−２」、「１−３」、・・とし、取引仲介者ａ、ｂ、ｃ、ｄ、・・の会員コードは「２−１」、「２−２」、「２−３」、・・とする。
（１）立ち上げ
ホスト装置４は午前９時より各取引端末１１、１２、１３、・・からのアクセスを受け付ける。各取引端末がホスト装置４にアクセスを開始すると、ホスト装置４は記憶装置４Ａに記憶された当日（３月１２日）の未執行の第１、第２の現物取引売買注文情報の概要（銘柄コードと希望価格）、当日の第１、第２の現物取引執行情報の概要（銘柄コードと執行価格と執行日時）を含む取引概況情報を各取引端末に転送し、各取引端末は画面２０に表示する。但し、まだ当日分の情報がない為空欄となる（図１１参照）。
【００１４】
（２）第１の現物取引での買い注文
会員Ａが銘柄コード「００５」の銘柄別物品２−５を即金価格９９万で買いたい場合、電話、メール等でその旨、例えば取引仲介者ａに委託する。ａは取引端末１１を用いて、注文番号（ここではａ００２とする）、取引仲介者コード「２−１」、会員コード「１−１」、取引種別（第１の現物取引／買い）、銘柄コード、希望即金価格からなる第１の現物取引売買注文情報を入力する（図４のイ）。この第１の現物取引売買注文情報は公衆ネットワーク１０を介してホスト装置４に転送される。ホスト装置４は記憶装置４Ａの第１の現物取引売買注文情報記憶エリア４０に記憶し（この際、注文日時が追加される。以下、同様。図６（２）参照）、当日に条件の一致する未執行の第１の現物取引売り注文があるか検索し、ここではないので執行はせず、各取引端末に最新の取引概況情報を転送して画面２０に表示させる。
（３）第１の現物取引での売り注文
会員Ｃが銘柄コード「０７９」の銘柄別物品を即金価格９８万で売りたい場合、その旨、例えば取引仲介者ｂに委託する。ｂが取引端末１２を用いて、注文番号（ここではｂ００１とする）、取引仲介者コード「２−２」、会員コード「１−３」、取引種別（第１の現物取引／売り）、銘柄コード、希望即金価格からなる第１の現物取引売買注文情報を入力すると（図４のロ）、ホスト装置４に転送され、該ホスト装置４は第１の現物取引売買注文情報記憶エリア４０に記憶し（図６（２）参照）、当日に条件の一致する未執行の第１の現物取引売り注文があるか検索し、ここでもないので執行はせず、各取引端末に当日の最新の取引概況を転送して更新表示させる。
【００１５】
会員Ｅが銘柄コード「００５」の銘柄別物品を即金で買いたいが、取引状況を見て価格を決めたい場合、自分のパソコンでホスト装置４に取引概況情報を入手するか、取引仲介者ｃに電話、メール等で取引状況を尋ねる。９９万円で買い注文が出ていることが判り、売りが出やすくするため、１００万円での買い注文を取引仲介者ｃに委託する。ｃが取引端末１３を用いて、注文番号（ここではｃ００１とする）、取引仲介者コード「２−３」、会員コード「１−５」、取引種別（第１の現物取引／買い）、銘柄コード、希望即金価格からなる第１の現物取引売買注文情報を入力すると（図４のハ）、ホスト装置４に転送され、該ホスト装置４は第１の現物取引売買注文情報記憶エリア４０に記憶し（図７（１）参照）、当日に条件の一致する第１の現物取引売り注文があるか検索し、ないので執行はせず、各取引端末に当日の最新の取引概況を更新表示させる（図１２参照）。
【００１６】
（４）第１の現物取引売買注文の執行
会員Ｄが銘柄コード「００５」の銘柄別物品を即金で売りたいが、取引状況を見てなるべく高く売りたい場合、自分のパソコンでホスト装置４にアクセスし、取引概況情報を入手するか、電話、メール等で取引仲介者ｂに取引状況を尋ねる。９９万円と１００万円で買い注文が出ていることが判り、高く売るため、１００万円での売り注文を取引仲介者ｂに委託する。ｂが取引端末１２を用いて、注文番号（ここではｂ００２とする）、取引仲介者コード「２−２」、会員コード「１−４」、取引種別（第１の現物取引／売り）、銘柄コード、希望即金価格からなる第１の現物取引売買注文情報を入力すると（図４のニ）、ホスト装置４に転送され、該ホスト装置４は第１の現物取引売買注文情報記憶エリア４０に記憶し、当日に条件の一致する第１の現物取引売り注文があるか検索し、今度は有るので執行し、第１の現物取引売買注文情報記憶エリア４０の内、今回執行した注文情報に執行済を登録するとともに、執行した売買注文の銘柄コード、即金価格、執行日時、売り手側と買い手側の注文番号、取引仲介者コード、会員コードを組にした第１の現物取引執行情報を記憶装置４Ａの第１の現物取引執行情報記憶エリア４２に記憶し（図７（２）参照）、買い注文執行通知書（執行日時、買い手の注文番号と取引仲介者コードと会員コード、取引種別、銘柄コード、即金価格）を買い注文元の取引端末１３に転送し、該取引端末１３で記憶させて表示・印刷出力とメール添付転送を可能とし、売り執行通知書（執行日時、売り手の注文番号と取引仲介者コードと会員コード、銘柄コード、即金価格）を売り注文元の取引端末１２に転送し、取引端末１２に記憶させて表示・印刷出力とメール添付転送可能とする。買い執行通知書、売り執行通知書はそれぞれ取引仲介者ａ、ｂより買い手Ｅ、売り手Ｄにメール・郵送等で渡される（図４のヘ、ト）。これにより、銘柄別物品２−５の所有者がＤからＥに変わり、Ｅは取引所３を介してＤに現金１００万円を支払う（図４のチ、リ、図５のＩ参照）。
【００１７】
執行通知書発行後、ホスト装置４は、当日の最新の取引概況を転送して表示を更新させる（図１３参照）。これにより、各会員及び各取引仲介者は、銘柄別物品２−５が１００万円で第１の現物取引により売買されたことがわかる。
Ｅは買い取った銘柄別物品２−５をその日の内に、第１の現物取引で他の会員に転売しても良く、或いは第２の現物取引で転売しても良く、時間が経てばもっと値上がりすると思えば、日を置いて第１または第２の現物取引で転売しても良い。なお、第２の現物取引については後述する。
若し、ＥがＤから買った当日、同様の第１の現物取引売買注文により、他の買い手Ｚに銘柄別物品２−５を１０１万円で転売できたとき、Ｅは一日で１万円の確定利益を上げられる（図５のＩＩ参照）。買った当日は転売せず、後日値上がりを待って転売したときも同様である。
【００１８】
（５）第２の現物取引での買い注文
会員Ｂが銘柄コード「００５」の銘柄別物品２−５を後払い価格１０２万円で買いたい場合、取引仲介者ａに委託すると、ａは取引端末１１を用いて、注文番号（ここではＡ００２とする）、取引仲介者コード「２−１」、会員コード「１−２」、取引種別（第２の現物取引／買い）、銘柄コード、希望後払い価格からなる第２の現物取引売買注文情報を入力する（図４のヌ）。この第２の現物取引売買注文情報はホスト装置４に転送され、ホスト装置４は記憶装置４Ａの第２の現物取引売買注文情報記憶エリア４１に記憶し（図８（２）参照）、当日に条件の一致する未執行の第２の現物取引売り注文があるか検索し、ここではないので執行はせず、各取引端末に当日の最新の取引概況を転送して表示させる。
（６）第２の現物取引での売り注文
会員Ｃが銘柄コード「０４３」の銘柄別物品２−４３を後払い価格１００万円で売りたい場合、その旨、例えば取引仲介者ｂに委託する。ｂが取引端末１２を用いて、注文番号（ここではＢ００１とする）、取引仲介者コード「２−２」、会員コード「１−３」、取引種別（第２の現物取引／売り）、銘柄コード、希望後払い価格からなる第２の現物取引売買注文情報を入力すると（図４のル）、ホスト装置４に転送され、該ホスト装置４は第２の現物取引売買注文情報記憶エリア４１に記憶し（図８（２）参照）、当日に条件の一致する未執行の第２の現物取引買い注文があるか検索し、ないので執行はせず、各取引端末に当日の最新の取引概況を更新表示させる（図１４参照）。
【００１９】
（７）第２の現物取引売買注文の執行
会員Ｅが先に購入した銘柄コード「００５」の銘柄別物品２−５を第２の現物取引により利益が出る金額で売りたいが、取引状況を見てなるべく高く売りたい場合、自らパソコンでホスト装置４にアクセスし、取引概況情報を入手するか、電話、メール等で取引仲介者ｃに取引状況を尋ねる。第２の現物取引に１０２万円で買い注文が出ていることが判り、１０２万円での売り注文を取引仲介者ｃに委託する。ｃが取引端末１３を用いて、注文番号（ここではＣ００１とする）、取引仲介者コード「２−３」、会員コード「１−５」、取引種別（第２現物取引／売り）、銘柄コード、希望後払い価格からなる第２の現物取引売買注文情報を入力すると（図４のヲ）、ホスト装置４に転送され、該ホスト装置４は第２の現物取引売買注文情報記憶エリア４１に記憶し（図８（３）参照）、当日に条件の一致する第２の現物取引買い注文があるか検索し、ここでは注文番号Ａ００２が有るので執行し、第２の現物取引売買注文情報記憶エリア４１の執行した注文情報に執行済を登録するとともに、執行した売買注文の銘柄コード、後払い価格、執行日時、売り手側と買い手側の注文番号、取引仲介者コード、会員コードを組にした第２の現物取引執行情報を記憶装置４Ａの第２の現物取引執行情報記憶エリア４３に記憶し、買い執行通知書（執行日時、買い手の注文番号、取引仲介者コード、会員コード、銘柄コード、後払い価格）を買い注文元の取引端末１１に転送し、取引端末１１で記憶させるとともに表示・印刷出力とメール添付転送可能とし、売り執行通知書（執行日時、売り手の注文番号、取引仲介者コード、会員コード、銘柄コード、後払い価格）を売り注文元の取引端末１３に転送し、取引端末１３で記憶させるとともに表示・印刷出力とメール添付転送可能とする。買い執行通知書、売り執行通知書はそれぞれ買い手Ｂ、売り手Ｅに渡される（図４のワ、カ）。これにより、銘柄別物品２−５の所有者がＥからＢに変わり、Ｂは注文の際または買い執行通知書を受け取った日から数日内に取引仲介者ａを介してまたは直接、取引所３に後払い価格の一部（ここでは７万円とする）を保証金として預託しておく（図４のヨ、図５のＩＩＩ参照）。そして、買い執行通知書を受け取った日から３０日以内に残金９５万円を取引所３を介してＥに支払う。取引所３はＢから預託された７万円と残金９５万円の計１０２万円をＥに支払うことで決済する（図４のタ、図５のＶ参照）。
【００２０】
執行通知書発行後、ホスト装置４は、当日の最新の取引概況を転送して表示を更新させる（図１５参照）。これにより、各会員及び各取引仲介者は、銘柄コード００５の銘柄別物品２−５が１０２万円で第２の現物取引により売買されたことがわかる。
Ｅは第１の現物取引で買った銘柄別物品２−５を第２の現物取引で転売したことにより、２万円の確定利益を上げたことになる。銘柄別物品２−５を第２の現物取引で買ったＢは当日の第１の現物取引で転売しても良く、或いは当日の第２の現物取引で転売しても良く、時間が経てばもっと値上がりすると思えば、日を置いて第１または第２の現物取引で転売しても良く、暫く値上がりしないと思えば、暫く所有していても良い。例えば、Ｅから購入したあと、３０日以内に第１の現物取引により即金価格１０３万円で買い手Ｘに転売したとき（図５のＩＶ参照）、その後、Ｅに残金９５万円を支払っても（図５のＶ参照）、−７＋１０３−９５＝１（万円）の利益が出る。
【００２１】
（８）現物取引での借り売り
なお、第１、第２の現物取引では、他人の所有する銘柄別物品を有償または無償で借りて売り注文することができる。この場合、借りた銘柄別物品は一定期間内に返却すれば良く、取引仲介者または取引所に所定の保証金を払って売り注文を行う。図１６は第２の現物取引で借り売りする場合の説明図であり、Ｅが手持ちでない銘柄別物品２−４を借り売りしたい場合、まず取引所３に保証金（ここでは７万円とする）を預託し、銘柄別物品２−４を所有するたとえばＹから一定期間内（ここでは３０日とする）に返却することを条件に無償（有償でもよい）で借り（図１６のＩ参照）、その日の内に第２の現物取引でＴに後払い価格１０３万円で売る（借り売り。図１６のＩＩ参照。Ｔは執行日に保証金７万円を取引所３に預託し、執行日から３０日以内に残金９６万円を取引所３に入金する（図１６のＶ参照）。Ｅは借り売りした日から３０日以内に例えば第１の現物取引でＳから銘柄別物品２−４を１０２万円で買い取引所３を介してＳに１０２万円を支払う（図１６のＩＩＩ参照）。そして、Ｙに返却する（図１６のＩＶ参照）。借り売り日から３０日以内に取引所３からＴに売った代金１０３万円が入金されるとともに借りるために預託した７万円が返還されるので、最終的にＥは−７−１０２＋１０３＋７＝１（万円）の利益となる。図１６の如き借り売りは下げ相場のときに有利である。
【００２２】
この実施例によれば、第１の現物取引で即金価格により銘柄物品を売買できるほか、第２の現物取引で一定期間内の後払い価格により銘柄物品を売買できるので、売り手と買い手の様々な思惑により当日の即金価格に幅が生じるとともに当日の後払い価格に幅が生じ、更に当日の即金価格と後払い価格にも差が生じ、現物取引が活発化する。第１の現物取引、第２の現物取引ともに、取引成立時点で現物を受け渡す売買なので、同一物品について受け渡し時期が異なる様々な商品が存在する訳でなく、取引の流動性が高くなって利益獲得の機会を逃す恐れが少なくなる。また、取引量は実際にある物品量の制約を受けるので、売り手、買い手の取引量が異常に多くなって多大な損失を被る恐れも少ない。取引は即金または後払いの現金払いであり、信用株取引の如く利息を払って資金を借り入れないので、負担が少ない。株券は会社倒産等で無価値になることがあるが、現物取引では現物が手元に残るので無価値となることはない。第２の現物取引は、保証金を払って少ない資金で始めることができる。また、借り売りにより銘柄別物品を所有していなくても現物取引ができる。銘柄別物品は、銀板に歴史的著名人の花押を印刷したものなので、各銘柄に特別な蒐集価値が生まれ、テレビドラマ等の影響で価格上昇が起き易い。
第１、第２の現物取引は、各会員から売買注文を受託した取引仲介者が取引端末を用いて実行できるので、簡便である。
【産業上の利用可能性】
【００２３】
本発明は、蒐集価値のある切手、コイン等の様々な銘柄別物品に適用できる。
【図面の簡単な説明】
【００２４】
【図１】本発明に係る現物取引システムの構成図である（実施例１）。
【図２】銘柄別物品の説明図である。
【図３】ホスト装置に付設された記憶装置に記憶される情報の説明図である。
【図４】現物取引方法の説明図である。
【図５】現物取引における銘柄別物品とお金の流れの説明図である。
【図６】記憶装置の第１の現物取引売買注文情報記憶エリアの記憶内容の説明図である。
【図７】記憶装置の第１の現物取引売買注文情報記憶エリアの記憶内容の説明図である。
【図８】記憶装置の第２の現物取引売買注文情報記憶エリアの記憶内容の説明図である。
【図９】記憶装置の第１の現物取引執行情報記憶エリアの記憶内容の説明図である。
【図１０】記憶装置の第２の現物取引執行情報記憶エリアの記憶内容の説明図である。
【図１１】取引端末の画面の表示例を示す説明図である。
【図１２】取引端末の画面の表示例を示す説明図である。
【図１３】取引端末の画面の表示例を示す説明図である。
【図１４】取引端末の画面の表示例を示す説明図である。
【図１５】取引端末の画面の表示例を示す説明図である。
【図１６】銘柄別物品の借り売りにおける銘柄別物品とお金の流れの説明図である。
【符号の説明】
【００２５】
２−１、２−２、２−３、２−４、・・  銘柄別物品
３  取引所
４  ホスト装置
４Ａ  記憶装置
１０  公衆ネットワーク
１１、１２、１３、１４、・・  取引端末
２００  画面
Ａ、Ｂ、Ｃ、Ｄ、Ｅ、・・  会員
ａ、ｂ、ｃ、ｄ、・・  取引仲介者
【図１】
2006285442.tif 000003
【図２】
2006285442.tif 000004
【図３】
2006285442.tif 000005
【図４】
2006285442.tif 000006
【図５】
2006285442.tif 000007
【図６】
2006285442.tif 000008
【図７】
2006285442.tif 000009
【図８】
2006285442.tif 000010
【図９】
2006285442.tif 000011
【図１０】
2006285442.tif 000012
【図１１】
2006285442.tif 000013
【図１２】
2006285442.tif 000014
【図１３】
2006285442.tif 000015
【図１４】
2006285442.tif 000016
【図１５】
2006285442.tif 000017
【図１６】
2006285442.tif 000018